(57)【特許請求の範囲】
【請求項１】
被験者の手で保持可能な保持部と、本体部とを含む上肢ユニットを備え、
前記保持部は、前記被験者の手掌部に接触させるための上肢電極を含み、
前記本体部は、
前記被験者の腹部の表面に接触させるための第１の面と、
前記第１の面に配置される腹部電極群とを含み、
前記腹部電極群は、１対の第１電極および１対の第２電極を有し、
前記被験者の下肢に接触させるための下肢電極と、
前記上肢電極および前記下肢電極の対と前記第２電極の対とのうちいずれか一方を介して、前記被験者に電流を印加するための印加手段と、
前記上肢電極および前記下肢電極の対を介して電流を印加する第１の場合および前記第２電極の対を介して電流を印加する第２の場合のそれぞれにおいて、２種類の電位差を検出するための検出手段とをさらに備え、
前記検出手段は、前記第１の場合に、前記腹部電極群のうちの所定の１対の電極間における第１の電位差を検出し、前記第２の場合には、前記第１電極間における第２の電位差を検出し、
検出された前記第１の電位差および前記第２の電位差と、前記被験者の体格情報とに基づいて、前記被験者の内臓脂肪量を算出するための内臓脂肪量算出手段をさらに備える、体脂肪測定装置。
【請求項２】
前記第１電極および前記第２電極は、前記被験者が測定姿勢において前記保持部を保持した場合の鉛直方向を整列方向として、前記第１の面に配置される、請求項１に記載の体脂肪測定装置。
【請求項３】
前記第２電極は、前記整列方向において前記第１電極を挟む位置にそれぞれ配置される、請求項２に記載の体脂肪測定装置。
【請求項４】
前記所定の１対の電極は、前記第１電極である、請求項２に記載の体脂肪測定装置。
【請求項５】
前記所定の１対の電極は、前記腹部電極群のうちの、前記第１電極からなる対以外の対の電極である、請求項２に記載の体脂肪測定装置。
【請求項６】
前記第２電極は、前記整列方向において前記第１電極を挟む位置にそれぞれ配置され、
前記所定の１対の電極は、前記第２電極である、請求項５に記載の体脂肪測定装置。
【請求項７】
前記第１の電位差および前記第２の電位差のそれぞれに基づいて、２種類のインピーダンスを算出するためのインピーダンス算出手段をさらに備え、
前記内臓脂肪量算出手段は、算出された前記２種類のインピーダンスと、前記被験者の前記体格情報とに基づいて、前記内臓脂肪量を算出する、請求項１に記載の体脂肪測定装置。
【請求項８】
前記内臓脂肪量算出手段は、前記２種類のインピーダンスと内臓脂肪量との関係の所定の相関式によって、前記内臓脂肪量を算出する、請求項７に記載の体脂肪測定装置。
【請求項９】
算出された前記内臓脂肪量を表示するための表示手段をさらに備える、請求項１に記載の体脂肪測定装置。
【請求項１０】
検出された前記第２の電位差と、前記被験者の前記体格情報とに基づいて、前記被験者の皮下脂肪量を算出するための皮下脂肪量算出手段をさらに備える、請求項１に記載の体脂肪測定装置。
【請求項１１】
前記体格情報は、前記被験者の腹部周長、腹部横幅、腹部厚み、身長および体重のうち少なくとも１つを含む、請求項１に記載の体脂肪測定装置。
【請求項１２】
前記被験者の足を載置可能な下肢ユニットをさらに備え、
前記下肢電極は、前記下肢ユニットに配置される、請求項１に記載の体脂肪測定装置。
【請求項１３】
前記本体部は、前記被験者の臍位置に対応する位置決め手段をさらに含む、請求項１に記載の体脂肪測定装置。
【請求項１４】
前記位置決め手段は、前記第１の面の上端部に設けられた窪みからなる、請求項１３に記載の体脂肪測定装置。
【請求項１５】
前記位置決め手段は、
前記第１の面に設けられたカメラと、
前記本体部に設けられ、前記カメラによる撮像対象を表示するための表示手段とを含む、請求項１３に記載の体脂肪測定装置。
【請求項１６】
前記位置決め手段は、前記第１の面に設けられた鏡からなる、請求項１３に記載の体脂肪測定装置。
【請求項１７】
前記位置決め手段は、前記第１の面に設けられた、レーザ光を照射するための照射装置からなる、請求項１３に記載の体脂肪測定装置。
【請求項１８】
前記本体部は、前記第１の面と対向する第２の面をさらに含み、
前記位置決め手段は、前記第１の面から前記第２の面に向かって貫通する穴からなる、請求項１３に記載の体脂肪測定装置。
【請求項１９】
前記本体部は、前記第１の面と対向する第２の面をさらに含み、
前記位置決め手段は、前記第２の面側から前記第１の面側に向かって視認可能な窓からなる、請求項１３に記載の体脂肪測定装置。
【請求項２０】
被験者の体脂肪を測定するための上肢ユニットであって、
前記被験者の手掌部に接触させるための上肢電極を含む、前記被験者の手で保持可能な保持部と、
本体部とを備え、
前記本体部は、
前記被験者の腹部の表面に接触させるための面と、
前記面に配置される腹部電極群とを含み、
前記腹部電極群は、１対の第１電極および１対の第２電極を有し、
前記本体部は、
前記被験者の下肢に接触された下肢電極および前記上肢電極の対と前記第２電極の対とのうちいずれか一方を介して、前記被験者に電流を印加するための印加手段と、
前記上肢電極および前記下肢電極の対を介して電流を印加する第１の場合および前記第２電極の対を介して電流を印加する第２の場合のそれぞれにおいて、２種類の電位差を検出するための検出手段とをさらに含み、
前記検出手段は、前記第１の場合に、前記腹部電極群のうちの所定の１対の電極間における第１の電位差を検出し、前記第２の場合には、前記第１電極間における第２の電位差を検出し、
前記本体部は、検出された前記第１の電位差および前記第２の電位差と、前記被験者の体格情報とに基づいて、前記被験者の内臓脂肪量を算出するための内臓脂肪量算出手段をさらに含む、上肢ユニット。
【発明の詳細な説明】
【技術分野】
【０００１】
本発明は、体脂肪測定装置および上肢ユニットに関し、特に、インピーダンス法を用いて内臓脂肪量を測定可能な体脂肪測定装置および上肢ユニットに関する。
【背景技術】
【０００２】
従来より、内臓脂肪量の測定は、Ｘ線ＣＴ（Computed Tomography）による腹部断層画像より実測を行なっている。そのため、Ｘ線ＣＴの設備を保有している医療機関でしか内臓脂肪量の測定ができないという問題点がある。ＭＲＩ（Magnetic Resonance Imaging）においてもＸ線ＣＴと同様の腹部断層画像の撮影は可能であるが、大型の設備が必要であることには変わりがない。したがって、被験者自身が家庭で簡便に内臓脂肪量を測定することはできない。
【０００３】
そこで、簡便に内臓脂肪量を測定するための方法として、近年ではインピーダンス法が提唱されている。
【０００４】
たとえば、特許文献１には、被験者の身体特定化情報と四肢のインピーダンスとに基づいて、内臓脂肪量を算出することが開示されている。特許文献２には、手と腹に導電接触して手と腹の間に電流を供給し、人体インピーダンスを求めることで、上半身の体脂肪率を測定することが開示されている。これにより、皮下脂肪肥満型か内臓脂肪肥満型かを把握することが可能となる。特許文献３には、測定者の身体情報（ウエスト長や性別など）と腹部の電圧値とに基づいて、内臓脂肪量を算出する技術が開示されている。
【０００５】
また、腹部用の電極を設けて腹部のインピーダンスを測定する場合、被験者が簡便に自身の腹部に腹部用の電極をあてやすくするための提案もなされている。
【０００６】
上記特許文献３には、被験者が、複数の電極が予め配置されたベルトを腹部に巻くことで、腹部に電極を接触可能なことが開示されている。
【０００７】
さらに、位置合わせの技術として、特許文献４には、手で保持され装置の基礎となる基体に、被測定者の臍を基準位置として合わせるための臍位置設定部が設けられることが開示されている。臍位置設定部としては、基体の正面から裏面に貫通する孔に嵌入され立設する棒状体であることが示されている。
【特許文献１】特開平７−７９９３８号公報
【特許文献２】特開２０００−１５２９１９号公報
【特許文献３】特開２００２−３６９８０６号公報
【特許文献４】特開２００２−２８２２４１号公報
【発明の開示】
【発明が解決しようとする課題】
【０００８】
しかしながら、特許文献１〜３には、積極的に皮下脂肪量の情報を得ることで内臓脂肪量が算出されることについては開示されていない。したがって、腹部の皮下脂肪の影響をさけられず、必ずしも正確に測定できないという問題点があった。また、特許文献４には、内臓脂肪量を求めることについて記載されていない。
【０００９】
また、特許文献４に開示された装置では、被測定者は、感覚をもちいて、棒状体の臍位置設定部を自身の臍にあわせる必要がある。
【００１０】
本発明は、上記のような問題を解決するためになされたものであって、その目的は、内臓脂肪量を簡便にかつ精度良く測定することのできる体脂肪測定装置および上肢ユニットを提供することである。
【課題を解決するための手段】
【００１１】
この発明のある局面に従う体脂肪測定装置は、被験者の手で保持可能な保持部と、本体部とを含む上肢ユニットを備える。保持部は、被験者の手掌部に接触させるための上肢電極を含み、本体部は、被験者の腹部の表面に接触させるための第１の面と、第１の面に配置される腹部電極群とを含む。腹部電極群は、１対の第１電極および１対の第２電極を有する。上記体脂肪測定装置は、被験者の下肢に接触させるための下肢電極と、上肢電極および下肢電極の対と第２電極の対とのうちいずれか一方を介して、被験者に電流を印加するための印加手段と、上肢電極および下肢電極の対を介して電流を印加する第１の場合および第２電極の対を介して電流を印加する第２の場合のそれぞれにおいて、２種類の電位差を検出するための検出手段とをさらに備え、検出手段は、第１の場合に、腹部電極群のうちの所定の１対の電極間における第１の電位差を検出し、第２の場合には、第１電極間における第２の電位差を検出し、検出された第１の電位差および第２の電位差と、被験者の体格情報とに基づいて、被験者の内臓脂肪量を算出するための内臓脂肪量算出手段をさらに備える。
【００１２】
ここで、「腹部」とは、体幹部のうちの胸部を除く部分である。また、「内臓脂肪量」とは、内臓脂肪に関する量をいい、たとえば、内臓脂肪重量、内臓脂肪面積および内臓脂肪体積のうち少なくとも１つを含む。
【００１３】
好ましくは、第１電極および第２電極は、被験者が測定姿勢において保持部を保持した場合の鉛直方向を整列方向として、第１の面に配置される。
【００１４】
好ましくは、第２電極は、整列方向において第１電極を挟む位置にそれぞれ配置される。
【００１５】
好ましくは、所定の１対の電極は、第１電極である。
あるいは、所定の１対の電極は、第１腹部電極のうちの、第１電極からなる対以外の対の電極であってもよい。
【００１６】
好ましくは、第２電極は、整列方向において第１電極を挟む位置にそれぞれ配置され、所定の１対の電極は、第２電極である。
【００１７】
好ましくは、第１の電位差および第２の電位差のそれぞれに基づいて、２種類のインピーダンスを算出するためのインピーダンス算出手段をさらに備え、内臓脂肪量算出手段は、算出された２種類のインピーダンスと、被験者の体格情報とに基づいて、内臓脂肪量を算出する。
【００１８】
好ましくは、内臓脂肪量算出手段は、２種類のインピーダンスと内臓脂肪量との関係の所定の相関式によって、内臓脂肪量を算出する。
【００１９】
好ましくは、算出された内臓脂肪量を表示するための表示手段をさらに備える。
好ましくは、検出された第２の電位差と、被験者の体格情報とに基づいて、被験者の皮下脂肪量を算出するための皮下脂肪量算出手段をさらに備える。
【００２０】
「皮下脂肪量」とは、皮下脂肪に関する量をいい、たとえば、皮下脂肪重量、皮下脂肪面積および皮下脂肪体積のうち少なくとも１つを含む。
【００２１】
好ましくは、体格情報は、被験者の腹部周長、腹部横幅、腹部厚み、身長および体重のうち少なくとも１つを含む。
【００２２】
なお、「腹部周長」とは、腹部における横断面の外周の長さを表わし、好ましくは、中腹部（臍部付近）における横断面の外周の長さを表わす。ウエスト長ともいう。「腹部横幅」とは、腹部における左右の幅（長さ）を表わし、好ましくは、中腹部における左右の幅を表わす。「腹部厚み」とは、腹部における前後の厚み（長さ）を表わし、好ましくは、中腹部における前後の厚みを表わす。
【００２３】
好ましくは、被験者の足を載置可能な下肢ユニットをさらに備え、下肢電極は、下肢ユニットに配置される。
【００２４】
好ましくは、本体部は、被験者の臍位置に対応する位置決め手段をさらに含む。
好ましくは、位置決め手段は、第１の面の上端部に設けられた窪みからなる。あるいは、位置決め手段は、第１の面に設けられたカメラと、本体部に設けられ、カメラによる撮像対象を表示するための表示手段とを含むことが好ましい。あるいは、位置決め手段は、第１の面に設けられた鏡からなることが好ましい。あるいは、位置決め手段は、第１の面に設けられた、レーザ光を照射するための照射装置からなることが好ましい。
【００２５】
また、本体部は、第１の面と対向する第２の面をさらに含み、位置決め手段は、第１の面から第２の面に向かって貫通する穴であってもよい。あるいは、位置決め手段は、第２の面側から第１の面側に向かって視認可能な窓であってもよい。
【００２６】
この発明の他の局面に従う上肢ユニットは、被験者の体脂肪を測定するための上肢ユニットであって、被験者の手掌部に接触させるための上肢電極を含む、被験者の手で保持可能な保持部と、本体部とを備える。本体部は、被験者の腹部の表面に接触させるための面と、面に配置される腹部電極群とを含み、１対の第１電極および１対の第２電極を有する。本体部は、被験者の下肢に接触された下肢電極および上肢電極の対と第２電極の対とのうちいずれか一方を介して、被験者に電流を印加するための印加手段と、上肢電極および下肢電極の対を介して電流を印加する第１の場合および第２電極の対を介して電流を印加する第２の場合のそれぞれにおいて、２種類の電位差を検出するための検出手段とをさらに含み、検出手段は、第１の場合に、腹部電極群のうちの所定の１対の電極間における第１の電位差を検出し、第２の場合には、第１電極間における第２の電位差を検出し、本体部は、検出された第１の電位差および第２の電位差と、被験者の体格情報とに基づいて、被験者の内臓脂肪量を算出するための内臓脂肪量算出手段をさらに含む。
【発明の効果】
【００２７】
本発明によると、簡便にかつ精度良く内臓脂肪量を測定することができる。
【発明を実施するための最良の形態】
【００２８】
本発明の実施の形態について図面を参照しながら詳細に説明する。なお、図中同一または相当部分には同一符号を付してその説明は繰返さない。
【００２９】
［実施の形態１］
＜体脂肪測定装置の外観および構成＞
（外観について）
図１は、本発明の実施の形態１における体脂肪測定装置１００の外観の一例を示す図である。
【００３０】
図１を参照して、体脂肪測定装置１００は、上肢ユニット１、下肢ユニット２、および上肢ユニット１と下肢ユニット２とを電気的に接続するためのケーブル３を備える。
【００３１】
上肢ユニット１は、本体部１１０と、被験者の両手で保持可能なグリップ１２１，１２２とを含む。グリップ１２１は、左手用のグリップであり、被験者の左の手掌部に接触させるための電極Ｈ１，Ｈ３を有する。グリップ１２２は、右手用のグリップであり、被験者の右の手掌部に接触させるための電極Ｈ２，Ｈ４を有する。電極Ｈ１，Ｈ２は、電流印加用の電極であり、電極Ｈ３，Ｈ４は、電圧検出用の電極である。
【００３２】
本体部１１０は、被験者の腹部の表面に接触させるための面１３０と、面１３０に配置された電極Ａ，Ｂ，Ｃ，Ｄとを有する。本実施の形態において、面１３０は、平面状に形成されているものとするが、腹部の表面に沿うように湾曲状に形成されていてもよい。
【００３３】
電極Ａ，Ｂ，Ｃ，Ｄは、被験者が測定姿勢においてグリップ１２１，１２２を保持した場合の、鉛直方向を整列方向として配置されていることが好ましい。電極Ａ，Ｂ，Ｃ，Ｄの形状、サイズおよび配置間隔は、特に限定されるものではない。これらの電極のいずれもが、被験者の腹部の表面に接触できるように配置されていればよい。
【００３４】
本実施の形態において、本体部１１０は、第１の筐体１１１と第２の筐体１１２とで構成されている。上記した面１３０は、第２の筐体１１２に設けられている。また、第１の筐体１１１には、少なくとも表示部２１が設けられる。
【００３５】
下肢ユニット２は、被験者の下肢に接触させるための電極Ｆ１，Ｆ２，Ｆ３，Ｆ４を有する。電極Ｆ１，Ｆ２は、電流印加用の電極であり、電極Ｆ３，Ｆ４は、電圧検出用の電極である。
【００３６】
本実施の形態において、上肢ユニット１は、下肢ユニット２に接続されたケーブル３と着脱可能に構成されている。たとえば、ケーブル３の端部には、上肢ユニット１に内蔵されたコネクタ１６ａへの装着を可能とするためのコネクタ１６ｂが設けられる。
【００３７】
以下の説明において、電極Ｈ１，…，Ｈ４を総称して「上肢電極」、電極Ａ，…，Ｄを総称して「腹部電極」、電極Ｆ１，…，Ｆ４を総称して「下肢電極」と呼ぶ。また、上肢電極、腹部電極および下肢電極を総称して「電極群」と呼ぶ。
【００３８】
ここで、体脂肪測定装置１００を用いた場合の被験者の測定姿勢について説明する。図２（Ａ）は、体脂肪測定装置１００を用いて体脂肪が測定される様子を、被験者の前方側から見た図である。図２（Ｂ）は、体脂肪測定装置１００を用いて体脂肪が測定される様子を、被験者の側方側から見た図である。
【００３９】
図２（Ａ）を参照して、グリップ１２１は、被験者３００の左手３０１によって握られ、グリップ１２２は、被験者３００の右手３０２によって握られる。これにより、電極Ｈ１，Ｈ３および電極Ｈ２，Ｈ４が、被験者３００の左手３０１および右手３０２にそれぞれ接触される。下肢ユニット２の上面に、被験者３００の両足３０４，３０５が載せられる。これにより、電極Ｆ１，Ｆ３および電極Ｆ２，Ｆ４が、被験者３００の左足３０４および右足３０５にそれぞれ接触される。
【００４０】
また、図２（Ｂ）を参照して、本体部１１０の面１３０が、被験者３００の腹部３０３の表面に押し当てられる。これにより、腹部電極が腹部３０３の表面に接触される。上記したように、本実施の形態において、腹部電極は、面１３０に、被験者３００が測定姿勢においてグリップ１２１，１２２を保持した場合の鉛直方向を整列方向として配置されている。したがって、腹部電極は、被験者３００の腹部３０３の横断面に対し略垂直の方向（以下「縦方向」という）を整列方向として、腹部３０３の表面に接触されることになる。
【００４１】
（構成について）
図３は、本発明の実施の形態１における体脂肪測定装置１００のハードウェア構成を示すブロック図である。
【００４２】
体脂肪測定装置１００における上肢ユニット１は、上記した上肢電極、腹部電極およびコネクタ１６ａに加え、高周波の定電流（たとえば、５０ｋＨｚ，５００μＡ）を発生するための定電流発生部１２と、通電されている１対の電極間における電位差を検出するための電圧検出部１３と、電極群の中から電流用電極および電圧用電極を選択するための端子切替部１４と、体脂肪測定装置１００の全体的な制御を行なう制御部２０と、測定結果などを表示するための表示部２１と、後述する被験者情報などを入力するための入力部２２と、記録媒体２３ｂに記録されたデータの読出および書込が可能な駆動装置２３ａと、制御部２０と定電流発生部１２、電圧検出部１３および端子切替部１４との間で通信を行なうためのＩ／Ｆ１５とを備える。
【００４３】
ここで、「被験者情報」とは、少なくとも体格情報を含む、被験者の身体に関する情報であり、たとえば、ウエスト長（腹部周長）、腹部横幅、腹部厚み、身長、体重、年齢、性別などの情報のうち、少なくとも１つを含む。本実施の形態において、体格情報は、ウエスト長に相当する情報であるものとして説明する。
【００４４】
なお、体格情報は、ウエスト長に限定されるものではなく、腹部に関連する他の情報（たとえば、腹部横幅、腹部厚み）や、全身に関連する情報（たとえば、身長、体重）などであってもよい。また、体格情報は、１つの情報に限定されるものではなく、２以上の情報を含んでいてもよい。
【００４５】
端子切替部１４は、定電流発生部１２および電圧検出部１３と接続され、かつ、電極群に含まれる各電極と接続される。端子切替部１４は、制御部２０により制御され、電極群のうち少なくとも１対の電流用電極を切替えて選択する。これにより、定電流発生部１２で発生された定電流が、選択された電極を介して被験者に印加される。また、端子切替部１４は、制御部２０により制御され、電極群のうち１対の電圧用電極を切替えて選択する。これにより、電圧検出部１３は、選択された電極ごとの電位差を検出することができる。検出された電位差の情報は、Ｉ／Ｆ１５を介して、制御部２０に与えられる。端子切替部１４は、たとえば、複数のスイッチにより構成される。
【００４６】
ここでは、定電流発生部１２および端子切替部１４によって、２対の電極Ｈ１，Ｈ２，Ｆ１，Ｆ２，１対の電極Ａ，Ｄのいずれか一方を介して、被験者に電流が印加される。また、被験者の電流が印加された状態において、いずれの場合も、電圧検出部１３および端子切替部１４により１対の電極Ｂ，Ｃ間の電位差が検出される。
【００４７】
制御部２０は、各種演算を行なうための演算処理部２６と、プログラムおよびデータを記憶するための記憶部２７とを含む。なお、記録媒体２３ｂに記録された体脂肪測定プログラムが、駆動装置２３ａにより読み出されて、以下に説明するような体脂肪測定処理が実行されてもよい。
【００４８】
表示部２１は、たとえば液晶等により構成される。入力部２２は、たとえば、ユーザが押下可能な複数のキーにより構成される。これらの具体的な配置例については後述する。
【００４９】
なお、本実施の形態において、端子切替部１４は、定電流発生部１２および電圧検出部１３の両方と接続され、電流用電極および電圧用電極の両方を選択するものとしたが、このような構成に限定されるものではない。たとえば、端子切替部１４に代えて、定電流発生部１２と接続され、電流用電極のみを選択する第１の切替部と、電圧検出部１３と接続され、電圧用電極のみを選択する第２の切替部とを設けることとしてもよい。
【００５０】
あるいは、本実施の形態においては、端子切替部１４を介して、電流用電極および電圧用電極を選択することとしたが、端子切替部１４を設けない構成としてもよい。この場合、たとえば、電流用電極として機能する対の電極ごとに電流発生器を設けて、制御部２０により各電流発生器が制御されてもよい。これにより、端子切替部１４を介すことなく、順次、電流用電極を切替えることができる。また、同様に、電圧用電極として機能する対の電極ごとに電圧検出器を設けて、制御部２０により各電圧検出器が制御されてもよい。これにより、端子切替部１４を介すことなく、順次、電圧用電極を切替えることができる。
【００５１】
また、上肢ユニット１に含まれる制御部２０、表示部２１、入力部２２および駆動装置２３ａのうち少なくとも１つは、下肢ユニット２に設けられてもよい。
【００５２】
次に、演算処理部２６の機能構成を、図４に示す。
図４を参照して、本実施の形態において、演算処理部２６は、被験者の全身に関するインピーダンスと、被験者の腹部に関する２種類のインピーダンスとを算出するためのインピーダンス算出部２６１、および、被験者の体脂肪を算出するための体脂肪算出部２６２を含む。本実施の形態において、体脂肪は、少なくとも内臓脂肪量を含み、好ましくは、内臓脂肪量に加え、皮下脂肪量および体脂肪量を含む。「体脂肪量」とは、体脂肪に関する量をいい、たとえば、体脂肪重量、体脂肪体積および体脂肪率のうちの少なくとも１つを含む。なお、体脂肪量は、内臓脂肪量および皮下脂肪量を含んでいるものとする。
【００５３】
インピーダンス算出部２６１は、定電流発生部１２により発生される電流値と、電圧検出部１３よりＩ／Ｆ１５を介して得られる電位差とに基づいて、各インピーダンスを算出する。腹部に関する２種類のインピーダンスのうちの１つは、被験者の腹部の横断面における全体の脂肪量（すなわち、内臓脂肪量と皮下脂肪量との和）を反映するインピーダンスである。もう１つは、被験者の腹部の横断面における皮下脂肪量を反映するインピーダンスである。以下の説明において、全身に関するインピーダンスを「Ｚｗ」、腹部の横断面における全体の脂肪量を反映するインピーダンスを「Ｚｔ」、腹部の横断面における皮下脂肪量を反映するインピーダンスを「Ｚｓ」と表わす。
【００５４】
体脂肪算出部２６２は、内臓脂肪量を算出するための内臓脂肪量算出部２６２Ａ、皮下脂肪量を算出するための皮下脂肪量算出部２６２Ｂ、および、体脂肪量を算出するための体脂肪量算出部２６２Ｃを有する。
【００５５】
内臓脂肪量算出部２６２Ａは、算出された腹部に関する２種類のインピーダンスＺｔ，Ｚｓと、被験者の体格情報（ウエスト長）とに基づいて、被験者の内臓脂肪量、たとえば内臓脂肪面積（単位：ｃｍ２）を算出する。具体的には、たとえば、２種類のインピーダンスＺｔ，Ｚｓおよび被験者のウエスト長と内臓脂肪量との関係を表わす以下のような式（１）によって、内臓脂肪面積Ｓｖが算出される。
【００５６】
Ｓｖ＝ａ＊Ｗ２−ｂ＊（１／Ｚｔ）−ｃ＊Ｗ＊Ｚｓ−ｄ      …（１）
（ただし、ａ，ｂ，ｃ，ｄ：係数、Ｗ：ウエスト長）。
【００５７】
皮下脂肪量算出部２６２Ｂは、算出された腹部に関するインピーダンスＺｓと、被験者の体格情報（ウエスト長）とに基づいて、被験者の皮下脂肪量、たとえば皮下脂肪面積（単位：ｃｍ２）を算出する。具体的には、たとえば、インピーダンスＺｓおよび被験者のウエスト長と皮下脂肪量との関係を表わす以下のような式（２）によって、皮下脂肪面積Ｓｓが算出される。
【００５８】
Ｓｓ＝ｅ＊Ｗ＊Ｚｓ＋ｆ          …（２）
（ただし、ｅ，ｆ：係数、Ｗ：ウエスト長）。
【００５９】
体脂肪量算出部２６２Ｃは、算出された全身に関するインピーダンスＺｗと、被験者情報に含まれる少なくとも１つの情報（たとえば体重）とに基づいて、被験者の体脂肪量、たとえば体脂肪率（％）を算出する。具体的には、たとえば、体脂肪率は、除脂肪量ＦＦＭと被験者の体重とに基づいて、以下のような式（３）により算出される。
【００６０】
体脂肪率＝（Ｗｔ−ＦＦＭ）／Ｗｔ＊１００          …（３）
（ただし、Ｗｔ：体重）。
【００６１】
除脂肪量ＦＦＭ（単位：ｋｇ）は、インピーダンスＺｗおよび被験者情報に含まれる少なくとも１つの情報（たとえば身長および体重）と除脂肪量との関係を表わす以下のような式（４）によって、算出される。
【００６２】
ＦＦＭ＝ｉ＊Ｈ２／Ｚｗ＋ｊ＊Ｗｔ＋ｋ          …（４）
（ただし、ｉ，ｊ，ｋ：係数、Ｈ：身長）。
【００６３】
上記のような相関式（１），（２），（４）は、たとえばＭＲＩなどで測定されたリファレンスとの相関により定められるものとする。また、このような相関式は、年齢および／または性別ごとに予め定められてもよい。
【００６４】
図５は、本発明の実施の形態１の体脂肪測定装置１００における上肢ユニット１の概略斜視図である。
【００６５】
図５を参照して、表示部２１および入力部２２は、第１の筐体１１１の前面（第２の筐体１１２の面１３０と同じ側に位置する面）に配置される。
【００６６】
入力部２２は、たとえば、表示部２１の下部に配置され、テンキー、決定キー、バックスペースキー、および、画面上のカーソルを上下左右に移動するためのカーソルキーなどを含む。また、入力部２２は、測定開始を指示するための測定開始キー３１、および、測定中止を指示するための測定中止キー３２をさらに含む。
【００６７】
第１の筐体１１１と第２の筐体１１２との間には、ヒンジ３３が設けられる。ヒンジ３３の位置や形状は、特に限定されるものではない。被験者が、測定姿勢のままで測定結果を確認できるように、第１の筐体１１１が傾けばよい。
【００６８】
また、面１３０の上端部（被験者が測定姿勢をとった場合に被験者の頭部側に位置する端部）には、臍位置に対応する位置決め手段（以下「位置決め指標」という）としての窪み２０１が設けられることが好ましい。より具体的には、窪み２０１は、腹部電極の整列方向の延長線上に設けられる。そうすることで、被験者は、腹部の表面上の適切な位置に、容易に、腹部電極を接触させることが可能となる。また、これに伴ない、測定精度を向上させることができる。
【００６９】
なお、本実施の形態では、面１３０の形状は、略方形であるものとするが、このような形状に限定されるものではない。たとえば、略円形であってもよい。
【００７０】
また、ここでは、本体部１１０が第１の筐体１１１と第２の筐体１１２とに分かれているものとして説明したが、このような形態に限定されるものではない。すなわち、本体部１１０を１つの筐体にして、腹部電極が配置される面１３０と同一面上に、表示部２１および入力部２２が設けられてもよい。
【００７１】
あるいは、表示部２１が設けられる面が、ヒンジ３３を設けることなく、被験者が測定姿勢のままで測定結果が確認できるように、予め、傾斜させておいてもよい。
【００７２】
あるいは、表示部２１および／または入力部２２が、本体部１１０の裏面（面１３０と対向する面）に配置されてもよい。そうすることで、上肢ユニット１を小型化することができる。
【００７３】
＜体脂肪測定装置の動作＞
図６は、本発明の実施の形態１における体脂肪測定処理を示すフローチャートである。図６のフローチャートに示す処理は、予めプログラムとして記憶部２７に格納されており、演算処理部２６がこのプログラムを読み出して実行することにより、体脂肪測定処理の機能が実現される。
【００７４】
図６を参照して、演算処理部２６は、体格情報（ウエスト長）を含む被験者情報の入力を受付ける（ステップＳ２）。ここで受け付けた被験者情報は、たとえば記憶部２７に一時的に記録される。
【００７５】
次に、測定開始の指示があったか否かを判断する（ステップＳ４）。演算処理部２６は、測定開始の指示があるまで待機する（ステップＳ４においてＮＯ）。測定開始の指示を検知した場合（ステップＳ４においてＹＥＳ）、演算処理部２６は、電極の設定を行なう（ステップＳ６）。より具体的には、端子切替部１４を制御して、２対の電極Ｈ１，Ｈ２，Ｆ１，Ｆ２を電流用電極として、定電流発生部１２と接続させる。また、電極Ｈ１と電極Ｈ２とを短絡させ、電極Ｆ１と電極Ｆ２とを短絡させる。さらに、演算処理部２６は、端子切替部１４を制御して、２対の電極Ｈ３，Ｈ４，Ｆ３，Ｆ４を電圧用電極として、電圧検出部１３と接続させる。また、電極Ｈ３と電極Ｈ４とを短絡させ、電極Ｆ３と電極Ｆ４とを短絡させる。
【００７６】
続いて、演算処理部２６は、定電流発生部１２を制御して、電極Ｈ１および電極Ｈ２から、電極Ｆ１および電極Ｆ２に定電流を印加する（ステップＳ８）。その状態において、演算処理部２６は、電圧検出部１３に、電極Ｈ３，Ｈ４と電極Ｆ３，Ｆ４との間の電位差を検出させる（ステップＳ１０）。
【００７７】
インピーダンス算出部２６１は、ステップＳ１０で検出した電位差に基づき、インピーダンスＺｗを算出する（ステップＳ１２）。ここで算出されたインピーダンスＺｗの値は、たとえば記憶部２７に一時的に記録される。
【００７８】
次に、演算処理部２６は、電圧用電極の切替を行なう（ステップＳ１４）。より具体的には、端子切替部１４を制御して、電圧用電極を、電極Ｈ３，Ｈ４，Ｆ３，Ｆ４から、電極Ｂ，Ｃに切替える。これにより、端子切替部１４において、電極Ｈ３，Ｈ４，Ｆ３，Ｆ４と、電圧検出部１３との接続が切断され、電極Ｂ，Ｃが、電圧検出部１３と接続される。
【００７９】
続いて、電極Ｈ１および電極Ｈ２から、電極Ｆ１および電極Ｆ２に定電流を印加した状態において、演算処理部２６は、電圧検出部１３に、電極Ｂ，Ｃ間の電位差を検出させる（ステップＳ１６）。なお、四肢に電流を流した状態で腹部電極の電位差を検出する場合には、たとえば、電極Ｈ１，Ｈ２のうちの１つから電極Ｆ１，Ｆ２のうちの１つに対し電流が印加されてもかまわない。
【００８０】
インピーダンス算出部２６１は、ステップＳ１６で検出された電位差に基づき、インピーダンスＺｔを算出する（ステップＳ１７）。ここで算出されたインピーダンスＺｔの値は、たとえば記憶部２７に一時的に記録される。
【００８１】
次に、演算処理部２６は、電流用電極の切替を行なう（ステップＳ１９）。より具体的には、端子切替部１４を制御して、電流用電極を、電極Ｈ１，Ｈ２，Ｆ１，Ｆ２から、電極Ａ，Ｄに切替える。これにより、端子切替部１４において、電極Ｈ１，Ｈ２，Ｆ１，Ｆ２と定電流発生部１２との接続が切断され、電極Ａおよび電極Ｄと定電流発生部１２とが接続される。
【００８２】
続いて、演算処理部２６は、定電流発生部１２を制御して、電極Ａと電極Ｄとの間に電流を印加する（ステップＳ２０）。その状態において、演算処理部２６は、電圧検出部１３に、電極Ｂと電極Ｃとの間の電位差を検出させる（ステップＳ２２）。インピーダンス算出部２６１は、ステップＳ２２で検出した電位差に基づき、インピーダンスＺｓを算出する（ステップＳ２４）。ここで算出されたインピーダンスＺｓの値は、たとえば記憶部２７に一時的に記録される。
【００８３】
次に、内臓脂肪量算出部２６２Ａは、ステップＳ２で入力された体格情報（ウエスト長）と、インピーダンスＺｔと、インピーダンスＺｓとから内臓脂肪面積Ｓｖを算出する（ステップＳ２６）。内臓脂肪面積Ｓｖは、上述の式（１）により算出される。
【００８４】
同時に、皮下脂肪量算出部２６２Ｂは、ステップＳ２で入力された体格情報（ウエスト長）と、インピーダンスＺｓとから皮下脂肪面積Ｓｓを算出する（ステップＳ２８）。皮下脂肪面積Ｓｓは、上述の式（２）により算出される。
【００８５】
さらに、体脂肪量算出部２６２Ｃは、ステップＳ２で入力された被験者情報（身長、体重）とインピーダンスＺｗとに基づいて、体脂肪率を算出する（ステップＳ３０）。体脂肪率は、上述の式（３）および（４）により算出される。
【００８６】
最後に、演算処理部２６は、測定結果を表示部２１に表示する処理を行なう（ステップＳ３２）。
【００８７】
以上で本発明の実施の形態１における体脂肪測定処理を終了する。
なお、インピーダンスＺｔの典型的な値は、約５Ω程度であり、インピーダンスＺｓの典型的な値は、約８０Ω程度となる。また、インピーダンスＺｗの典型的な値は、約２５０Ω程度である。
【００８８】
上述のように、２種類のインピーダンスＺｔ，Ｚｓともに、被験者の腹部の縦方向に配置された電極Ｂ，Ｃ間の電位差に基づいて算出されるため、精度良く内臓脂肪量を算出することができる。また、腹部電極が上肢ユニット１の面１３０に配置されているため、家庭でも簡便にかつ精度良く内臓脂肪量を算出することができる。
【００８９】
なお、上記フローチャートでは、電位差が検出されるごとに、インピーダンスを算出することとしたが、全ての電位差が検出されてから、一括して算出するものであってもよい。また、電極の設定・切替および電位差の検出の順序は、上述の順序に限定されるものではない。
【００９０】
また、本実施の形態では、被験者の体脂肪として、内臓脂肪量（内臓脂肪面積）、皮下脂肪量（皮下脂肪面積）および体脂肪量（体脂肪率）が算出されたが、少なくとも内臓脂肪量が算出されるものであればよい。この場合、ステップＳ２において、体格情報（ウエスト長）のみが入力されてもよい。
【００９１】
また、本実施の形態において、体脂肪量が、全身のインピーダンスＺｗに基づき算出されることとしたが、腹部のインピーダンスＺｔに基づいて算出（推定）されるものであってもよい。その場合、体脂肪測定装置１００に、上肢電極のうちの電圧用の電極Ｈ３，Ｈ４および下肢電極のうちの電圧用の電極Ｆ３，Ｆ４を設けない構成であってもよい。さらに、電流用の電極Ｈ１，Ｈ２のうちの一方および、電流用の電極Ｆ１，Ｆ２のうちの一方を設けない構成であってもよい。すなわち、体脂肪測定装置１００には、少なくとも４つの電極を含む腹部電極、および、電極Ｈ１および電極Ｈ２のうちの１つと電極Ｆ１および電極Ｆ２のうちの１つとからなる１対が含まれていればよい。
【００９２】
また、ここでは、上肢ユニット１がハンドル状に形成された左右のグリップ１２１，１２２を含むものとするが、被験者が少なくとも片手で保持可能であれば、このような形態に限らない。この場合、片手で保持される位置に、少なくとも１つの電流用の電極が配置されているものとする。
【００９３】
また、以上説明した実施の形態１では、腹部電極列に含まれる電極Ａ，Ｂ，Ｃ，Ｄのうち、四肢から電流を流す場合と、腹部で電流を流す場合とのいずれも、電極Ａ，Ｄの対に挟まれた電極Ｂ、Ｃの対を、電圧用電極として共通に用いたが、このように、いずれの場合も共通に用いるものでなくてもよい。たとえば、四肢から電流を流す場合には、電極Ｂ，Ｃの対以外の対を、電圧用電極として用いてもよい。たとえば、外側に位置する電極Ａ，Ｄの対を電圧用電極として用いると、測定される値が大きくなるため、正確な値の測定という観点からは望ましい。なお、電極Ａ，Ｂの対や、電極Ｂ，Ｄの対などであってもよい。
【００９４】
あるいは、本実施の形態では、４つの電極Ａ，Ｂ，Ｃ，Ｄのうち、外側に位置する電極Ａ，Ｄの対を電流用電極として機能させ、内側に位置する電極Ｂ，Ｃの対を電圧用電極として機能させることとしたが、これらが逆であってもよい。すなわち、電極Ａ，Ｄの対を電圧用電極として機能させ、電極Ｂ，Ｃの対を電流用電極として機能させてもよい。
【００９５】
また、本実施の形態では、検出された電位差よりインピーダンスを算出し、算出されたインピーダンスに基づいて内臓脂肪量等を算出することとしたが、検出された電位差より直接、内臓脂肪量等が算出されてもよい。すなわち、たとえば上記した相関式（１）は、２種類のインピーダンスＺｔ，Ｚｓを用いた式であったが、２種類の電位差を用いた式であってもよい。
【００９６】
（表示例について）
図７は、図６のステップＳ３２における、測定結果の表示例を示す図である。図７を参照して、表示部２１には、それぞれ所定の領域に、「内臓脂肪面積  １１０ｃｍ2」、「皮下脂肪面積  ９０ｃｍ2」、および「体脂肪率  ３０％」と表示され、算出された各々の量が数値として表示される。これにより、被験者は、自身の内臓脂肪面積、皮下脂肪面積および体脂肪率の具体的な数値を把握することができる。また、これらが同時に表示されることにより、被験者の脂肪のバランスを、さらに把握することができる。
【００９７】
なお、図７のような表示例に限定されるものではなく、以下のように、測定結果が表示されるものであってもよい。
【００９８】
図８（Ａ）は、内臓脂肪面積のみが表示された例を示す図であり、図８（Ｂ）は、内臓脂肪面積および皮下脂肪面積が表示された例を示す図である。
【００９９】
また、測定結果に加え、被験者情報がさらに表示されてもよい。
図９（Ａ）は、測定結果に加え、被験者情報がさらに表示された例を示す第１の図である。ここでは、被験者情報として、たとえば、体格情報であるウエスト長の他、患者ＩＤ、年齢、性別、身長および体重の情報が表示されている。また、測定結果としては、内臓脂肪面積、皮下脂肪面積および体脂肪率が表示されている。
【０１００】
図９（Ｂ）は、測定結果に加え、被験者情報がさらに表示された例を示す第２の図である。ここでも、被験者情報として、たとえば、体格情報であるウエスト長の他、患者ＩＤ、年齢、性別、身長および体重の情報が表示されている。また、測定結果としては、内臓脂肪面積および皮下脂肪面積が表示されている。
【０１０１】
また、測定結果を表示する際に、少なくとも内臓脂肪面積の基準値または標準値がさらに表示されてもよい。「内臓脂肪面積の基準値」とは、日本肥満学会が内臓脂肪型肥満の判定基準とする値であり、具体的には、１００ｃｍ2に相当する。
【０１０２】
図１０（Ａ）は、内臓脂肪面積の基準値がさらに表示される例を示す図である。図１０（Ａ）を参照して、表示部２１には、図７と同様の測定結果が表示され、さらに、内臓脂肪面積の基準値（１００ｃｍ2）が、内臓脂肪面積の測定値（１１０ｃｍ2）と並べて表示されている。このように、内臓脂肪面積の測定値と併せてその基準値を表示することにより、被験者は、生活習慣病につながるリスクが高いとされる内臓脂肪型肥満かどうかを、容易に把握することができる。また、図１０（Ａ）に示されるように、体脂肪率の測定値（３０％）と並べてその標準値（たとえば１０〜２０％）がさらに表示されてもよい。
【０１０３】
図１０（Ｂ）は、測定結果に加え、同年代の同性の標準値がさらに表示される例を示す図である。図１０（Ｂ）に示すように、表示部２１には、図７と同様の測定結果が表示され、さらに、それぞれの測定結果と並べて、同年代の同性（男性／女性）の標準値が表示されてもよい。これにより、被験者は、自分の測定結果が、標準的か否かを判断することができる。
【０１０４】
また、測定結果とともに、過去の測定値をグラフで表示することとしてもよい。図１１は、測定結果とともに、過去の測定値がグラフ表示される場合の一例を示す図である。図１１を参照して、表示部２１には、面積（単位：ｃｍ2）を縦軸に、時間を横軸にとった、測定値の軌跡（推移）を表わすグラフが表示される。また、この際、内臓脂肪面積の基準値（１００ｃｍ2）の位置を併せて表示してもよい。この図において、折れ線Ｌ１は、内臓脂肪面積の過去の測定値の軌跡を示しており、折れ線Ｌ２は皮下脂肪面積の過去の測定値の軌跡を示している。また、横軸と平行な直線Ｌ３は、内臓脂肪面積の基準値を示す基準線である。なお、ここでは、内臓脂肪面積および皮下脂肪面積についての情報が表示されることとしたが、内臓脂肪面積についての情報のみが表示されることとしてもよい。また、内臓脂肪面積に関する折れ線Ｌ１のグラフと、皮下脂肪面積に関する折れ線Ｌ２のグラフとが別々に表示されてもよい。
【０１０５】
以上説明した実施の形態１では、位置決め指標として、窪み２０１を本体部１１０に設けることとしたが、これに限定されるものではない。図１２（Ａ）は、位置決め指標の他の例を示す図であり、図１２（Ｂ）は、位置決め指標のさらに他の例を示す図である。
【０１０６】
図１２（Ａ）に示すように、位置決め指標として、映像を撮影することのできるカメラ２０３が面１３０に設けられてもよい。この図において、カメラ２０３は、たとえば、電極Ｂと電極Ｃとの間であって、電極Ｂの中心点と電極Ｃの中心点とを結ぶ線上に、配置されている。
【０１０７】
この場合、たとえば表示部２１の所定の領域２１Ａに、カメラ２０３によって撮影された映像が表示されるものとする。これにより、被験者は、自身の臍を確認しながら、面１３０を腹部表面に接触させることができる。
【０１０８】
さらに、たとえばライト２０４などの照明装置が、面１３０のカメラ２０３付近に設けられることが好ましい。これにより、面１３０を腹部に接近させたときに暗くて臍の位置が確認できないという不都合を防止することができる。
【０１０９】
なお、カメラ２０３によって撮影された映像を表示するための映像表示部を、表示部２１とは別の領域に設けてもよい。
【０１１０】
あるいは、図１２（Ｂ）に示すように、位置決め指標のさらに他の例として、臍位置を直接的に照らすためのレーザ光を照射する照射装置、たとえばレーザＬＥＤ（Light Emitting diode）２０６が面１３０に配置されてもよい。この図において、レーザＬＥＤ２０６は、電極Ｂと電極Ｃとの間であって、かつ、腹部電極の整列方向に対して略平行となるように、２つ設けられている。なお、レーザＬＥＤ２０６が設置される位置は、このような位置に限定されるものではない。
【０１１１】
以上説明したような実施の形態１における上肢ユニット１は、コネクタ１６ａを内蔵しているため、既に市販されている体脂肪計（体脂肪測定装置１００と同様に、上肢ユニット、下肢ユニット、およびこれらを電気的に接続するためのケーブルにより構成される体脂肪計）における上肢ユニットとの交換が可能である。したがって、既に、このような体組成計を所有している被験者は、上肢ユニット１を購入するだけで、従来よりも精度良く内臓脂肪量を測定することができる。
【０１１２】
＜実施の形態２＞
実施の形態１における体脂肪測定装置１００では、上肢ユニット１の面１３０に、腹部電極が１列だけ配置されたものであったが、実施の形態２では、上肢ユニットに複数列の腹部電極が配置される。以下に、実施の形態１との主な相違点について述べる。
【０１１３】
図１３は、本発明の実施の形態２の体脂肪測定装置１００Ａにおける上肢ユニット１Ａの概略正面図である。図１３を参照して、上肢ユニット１Ａは、本体部１１０Ａを構成する第２の筐体１１２Ａの面１３０Ａに、２列の腹部電極Ｅ１，Ｅ２が配置されている。腹部電極Ｅ１は、４つの電極Ａ１１，Ｂ１１，Ｃ１１，Ｄ１１を含み、腹部電極Ｅ２は、４つの電極Ａ１２，Ｂ１２，Ｃ１２，Ｄ１２を含む。このような２列の腹部電極Ｅ１，Ｅ２は、互いに、所定の距離だけ離れた位置に配置される。また、腹部電極Ｅ１，Ｅ２を構成する各電極は、行列状に配置されることが望ましい。
【０１１４】
図１４は、本発明の実施の形態２における体脂肪測定装置１００Ａのハードウェア構成を示すブロック図である。
【０１１５】
図１４を参照して、上肢ユニット１Ａには、図３に示した電極Ａ，…，Ｄに代えて、電極Ａ１１，…，Ｄ１１（腹部電極Ｅ１）および電極Ａ１２，…，Ｄ１２（腹部電極Ｅ２）が設けられる。これに伴ない、腹部電極Ｅ１，Ｅ２の各電極と端子切替部１４Ａとが接続される。
【０１１６】
図１５および図１６は、本発明の実施の形態２における体脂肪測定処理を示すフローチャートである。図１５および図１６のフローチャートに示す処理は、予めプログラムとして記憶部２７に格納されており、演算処理部２６Ａがこのプログラムを読み出して実行することにより、体脂肪測定処理の機能が実現される。なお、実施の形態１における体脂肪測定処理と同様の処理については、同じステップ番号を付してある。したがって、それらについての説明は繰返さない。
【０１１７】
図１５を参照して、演算処理部２６Ａは、ステップＳ２〜Ｓ１２の処理が終わると、電圧用電極の切替を行なう（ステップＳ１４Ａ）。より具体的には、端子切替部１４Ａを制御して、電圧用電極を、電極Ｈ３，Ｈ４，Ｆ３，Ｆ４から、電極Ｂ１１，Ｃ１１に切替える。これにより、端子切替部１４Ａにおいて、電極Ｈ３，Ｈ４，Ｆ３，Ｆ４と、電圧検出部１３との接続が切断され、電極Ｂ１１，Ｃ１１が、電圧検出部１３と接続される。
【０１１８】
続いて、電極Ｈ１および電極Ｈ２から、電極Ｆ１および電極Ｆ２に定電流を印加した状態において、演算処理部２６Ａは、電圧検出部１３に、電極Ｂ１１，Ｃ１１間の電位差を検出させる（ステップＳ１６Ａ）。
【０１１９】
インピーダンス算出部２６１は、ステップＳ１６Ａで検出された電位差に基づき、インピーダンスＺｔ１を算出する（ステップＳ１７Ａ）。ここで算出されたインピーダンスＺｔ１の値は、たとえば記憶部２７に一時的に記録される。
【０１２０】
さらに、演算処理部２６Ａは、電圧用電極の切替を行なう（ステップＳ１８１）。より具体的には、端子切替部１４Ａを制御して、電圧用電極を、電極Ｂ１１，Ｃ１１から、電極Ｂ１２，Ｃ１２に切替える。これにより、端子切替部１４Ａにおいて、電極Ｂ１１，Ｃ１１と、電圧検出部１３との接続が切断され、電極Ｂ１２，Ｃ１２が、電圧検出部１３と接続される。
【０１２１】
続いて、電極Ｈ１および電極Ｈ２から、電極Ｆ１および電極Ｆ２に定電流を印加した状態において、演算処理部２６Ａは、電圧検出部１３に、電極Ｂ１２，Ｃ１２間の電位差を検出させる（ステップＳ１８２）。
【０１２２】
インピーダンス算出部２６１は、ステップＳ１８２で検出された電位差に基づき、インピーダンスＺｔ２を算出する（ステップＳ１８３）。ここで算出されたインピーダンスＺｔ２の値は、たとえば記憶部２７に一時的に記録される。
【０１２３】
次に、図１６を参照して、演算処理部２６Ａは、電流用電極および電圧用電極の切替を行なう（ステップＳ１９Ａ）。より具体的には、端子切替部１４Ａを制御して、電流用電極を、電極Ｈ１，Ｈ２，Ｆ１，Ｆ２から、電極Ａ１１，Ｄ１１に切替える。これにより、端子切替部１４Ａにおいて、電極Ｈ１，Ｈ２，Ｆ１，Ｆ２と定電流発生部１２との接続が切断され、電極Ａ１１および電極Ｄ１１と定電流発生部１２とが接続される。また、端子切替部１４Ａを制御して、電圧用電極を、電極Ｂ１２，Ｃ１２から、電極Ｂ１１，Ｃ１１に切替える。これにより、端子切替部１４Ａにおいて、電極Ｂ１２，Ｃ１２と電圧検出部１３との接続が切断され、電極Ｂ１１，Ｃ１１が、電圧検出部１３と接続される。
【０１２４】
続いて、演算処理部２６Ａは、定電流発生部１２を制御して、電極Ａ１１と電極Ｄ１１との間に電流を印加する（ステップＳ２０Ａ）。その状態において、演算処理部２６Ａは、電圧検出部１３に、電極Ｂ１１と電極Ｃ１１との間の電位差を検出させる（ステップＳ２２Ａ）。インピーダンス算出部２６１は、ステップＳ２２Ａで検出した電位差に基づき、インピーダンスＺｓ１を算出する（ステップＳ２４Ａ）。ここで算出されたインピーダンスＺｓ１の値は、たとえば記憶部２７に一時的に記録される。
【０１２５】
さらに、演算処理部２６Ａは、電流用電極および電圧用電極の切替を行なう（ステップＳ２５１）。より具体的には、端子切替部１４Ａを制御して、電流用電極を、電極Ａ１１，Ｄ１１から、電極Ａ１２，Ｄ１２に切替える。これにより、端子切替部１４Ａにおいて、電極Ａ１１および電極Ｄ１１と定電流発生部１２との接続が切断され、電極Ａ１２および電極Ｄ１２と定電流発生部１２とが接続される。また、端子切替部１４Ａを制御して、電圧用電極を、電極Ｂ１１，Ｃ１１から、電極Ｂ１２，Ｃ１２に切替える。これにより、端子切替部１４Ａにおいて、電極Ｂ１１，Ｃ１１と電圧検出部１３との接続が切断され、電極Ｂ１２，Ｃ１２が、電圧検出部１３と接続される。
【０１２６】
続いて、演算処理部２６Ａは、定電流発生部１２を制御して、電極Ａ１２と電極Ｄ１２との間に電流を印加する（ステップＳ２５２）。その状態において、演算処理部２６Ａは、電圧検出部１３に、電極Ｂ１２と電極Ｃ１２との間の電位差を検出させる（ステップＳ２５３）。インピーダンス算出部２６１は、ステップＳ２５３で検出した電位差に基づき、インピーダンスＺｓ２を算出する（ステップＳ２５４）。ここで算出されたインピーダンスＺｓ２の値は、たとえば記憶部２７に一時的に記録される。
【０１２７】
ステップＳ２５４の処理が終わると、内臓脂肪量算出部２６２Ａは、ステップＳ２で入力された体格情報（ウエスト長）と、インピーダンスＺｔ１，Ｚｔ２と、インピーダンスＺｓ１，Ｚｓ２とから内臓脂肪面積Ｓｖを算出する（ステップＳ２６Ａ）。内臓脂肪面積Ｓｖは、上述の式（１）により算出される。なお、実施の形態２のように、２列の腹部電極Ｅ１，Ｅ２が設けられる場合には、２つのインピーダンスＺｔ１，Ｚｔ２の平均値が、相関式（１）におけるインピーダンスＺｔに代入され、２つのインピーダンスＺｓ１，Ｚｓ２の平均値が、相関式（１）におけるインピーダンスＺｓに代入されることとしてもよい。
【０１２８】
同時に、皮下脂肪量算出部２６２Ｂは、ステップＳ２で入力された体格情報（ウエスト長）と、インピーダンスＺｓ１，Ｚｓ２とから皮下脂肪面積Ｓｓを算出する（ステップＳ２８Ａ）。皮下脂肪面積Ｓｓは、上述の式（２）により算出される。なお、この場合にも、２つのインピーダンスＺｓ１，Ｚｓ２の平均値が、相関式（２）におけるインピーダンスＺｓに代入されることとしてもよい。
【０１２９】
ステップＳ２８Ａの処理が終わると、実施の形態１と同様の体脂肪算出処理（ステップＳ３０）および測定結果表示処理（ステップＳ３２）が行なわれる。以上で本発明の実施の形態２における体脂肪測定処理は、終了する。
【０１３０】
このように、複数の腹部電極Ｅ１，Ｅ２を設けて、複数の電位差を平均処理することで、脂肪の分布や脂肪の厚みの影響を削減することができる。
【０１３１】
なお、体脂肪算出の際に、インピーダンスＺｔ１，Ｚｔ２、インピーダンスＺｓ１，Ｚｓ２をそれぞれ平均処理することとしたが、このような方法に限定されるものではない。四肢より電流を流すことで検出された複数の電位差の平均値に基づいて、インピーダンスＺｔを算出し、腹部より電流を流すことで検出された複数の電位差の平均値に基づいて、インピーダンスＺｓを算出しておいてもよい。
【０１３２】
また、ここでは、インピーダンスＺｔ１，Ｚｔ２、インピーダンスＺｓ１，Ｚｓ２は、それぞれ平均処理されて内臓脂肪量や皮下脂肪量の算出に用いられたが、平均処理以外の処理が施されてもよい。たとえば、インピーダンスごとに相関式を設けて、内臓脂肪量や皮下脂肪量が算出されてもよい。
【０１３３】
ところで、実施の形態２における上肢ユニット１Ａにも、測定精度の向上という観点から、位置決め指標が設けられることが好ましい。図１７（Ａ）は、本発明の実施の形態２における位置決め指標の一例を示す図であり、図１７（Ｂ）は、本発明の実施の形態２における位置決め指標の他の例を示す図である。
【０１３４】
図１７（Ａ）を参照して、上肢ユニット１Ａの面１３０Ａに、位置決め指標として、たとえば溝２１１が設けられてもよい。溝２１１は、腹部電極Ｅ１，Ｅ２の間であって、かつ、第２の筐体１１２Ａの上端部から下端部にわたって腹部電極Ｅ１，Ｅ２の整列方向と平行に、設けられる。なお、溝２１１は、必ずしも、第２の筐体１１２Ａの上端部から下端部にわたって設けられるものでなくてもよい。実施の形態１の窪み２０１と同様に、少なくとも上端部に設けられていればよい。
【０１３５】
あるいは、図１７（Ｂ）を参照して、上肢ユニット１Ａの面１３０Ａに、位置決め指標の他の例として、たとえば鏡２１２が設けられてもよい。鏡２１２は、電極Ｂ１１と電極Ｂ１２とを結ぶ線と、電極Ｃ１１と電極Ｃ１２とを結ぶ線との間に設けられる。また、鏡２１２は、溝２１１内に設けられる。鏡２１２は、被験者がグリップ１２１，１２２を握って測定姿勢をとる段階において、自身の臍が視認可能となるように、傾斜して設けられることが好ましい。すなわち、鏡２１２は、面１３０に対して垂直に入射される像が、第１の筐体１１１側で、かつ、入射側に折り返して反射するように、傾斜して設けられることが好ましい。なお、鏡２１２は、第２の筐体１１２Ａに埋め込まれていてもよい。
【０１３６】
このように、上肢ユニット１Ａに溝２１１あるいは鏡２１２を設けることにより、被験者は、測定の際に、上肢ユニット１Ａの上面側から、自身の臍を確認しながら面１３０Ａを腹部の表面に接触させることができる。
【０１３７】
＜実施の形態３＞
実施の形態１における体脂肪測定装置１００では、上肢ユニット１の面１３０に、１列の腹部電極が４つの電極（２対の電極）を含んで構成されたものであった。実施の形態３では、腹部電極が、３対以上の電極あるいは５つ以上の電極を含んで構成される。以下に、実施の形態１との主な相違点について述べる。
【０１３８】
図１８は、本発明の実施の形態３の体脂肪測定装置１００Ｂにおける上肢ユニット１Ｂの概略正面図である。図１８を参照して、上肢ユニット１Ｂは、本体部１１０Ｂを構成する第２の筐体１１２Ｂの面１３０Ｂに、上部側から順に、略円弧状の電極Ａ２１，Ｂ２１，Ｃ２１，Ｄ２１，Ｄ２２，Ｃ２２，Ｂ２２，Ａ２２が配置される。電極Ａ２１，Ｂ２１，Ｃ２１，Ｄ２１は、各々、面１３０Ｂの上端方向が円弧側になるように配置されている。また、電極Ｄ２２，Ｃ２２，Ｂ２２，Ａ２２は、各々、面１３０Ｂの下端方向が円弧側になるように配置されている。また、より具体的には、電極Ａ２１，Ａ２２の対の内側に、電極Ｂ２１，Ｂ２２の対が配置され、電極Ｂ２１，Ｂ２２の対の内側に電極Ｃ２１，Ｃ２２の対が配置される。また、電極Ｃ２１，Ｃ２２の対の内側に電極Ｄ２１，Ｄ２２の対が配置される。
【０１３９】
ここでは、大きさ（半径または直径）の異なる円弧状の電極を４対設けることとしたが、このような形態に限定されるものではない。たとえば、大きさの異なる円弧状の電極を３対または５対以上設けてもよい。あるいは、大きさの等しい円弧状の電極を複数対設けてもよい。なお、円弧状の電極を２対設けた場合には、上記した実施の形態１と同様の処理を行なうことができる。
【０１４０】
図１９は、本発明の実施の形態３における体脂肪測定装置１００Ｂのハードウェア構成を示すブロック図である。
【０１４１】
図１９を参照して、上肢ユニット１Ｂには、図３に示した電極Ａ，…，Ｄに代えて、電極Ａ２１，…，Ｄ２１および電極Ａ２２，…，Ｄ２２が設けられる。これに伴ない、腹部電極を構成するこれらの各電極と端子切替部１４Ｂとが接続される。
【０１４２】
図２０は、本発明の実施の形態３における体脂肪測定処理を示すフローチャートである。図２０のフローチャートに示す処理は、予めプログラムとして記憶部２７に格納されており、演算処理部２６Ｂがこのプログラムを読み出して実行することにより、体脂肪測定処理の機能が実現される。なお、実施の形態１における体脂肪測定処理と同様の処理については、同じステップ番号を付してある。したがって、それらについての説明は繰返さない。
【０１４３】
図２０を参照して、演算処理部２６Ｂは、ステップＳ２〜Ｓ１２の処理が終わると、電圧用電極の切替を行なう（ステップＳ１４Ｂ）。より具体的には、端子切替部１４Ｂを制御して、電圧用電極を、電極Ｈ３，Ｈ４，Ｆ３，Ｆ４から、電極Ａ２１，Ａ２２に切替える。これにより、端子切替部１４Ｂにおいて、電極Ｈ３，Ｈ４，Ｆ３，Ｆ４と、電圧検出部１３との接続が切断され、電極Ａ２１，Ａ２２が、電圧検出部１３と接続される。
【０１４４】
続いて、電極Ｈ１および電極Ｈ２から、電極Ｆ１および電極Ｆ２に定電流を印加した状態において、演算処理部２６Ｂは、電圧検出部１３に、電極Ａ２１，Ａ２２間の電位差を検出させる（ステップＳ１６Ｂ）。インピーダンス算出部２６１は、ステップＳ１６Ｂで検出された電位差に基づき、インピーダンスＺｔを算出する（ステップＳ１７）。
【０１４５】
次に、演算処理部２６Ｂは、電流用電極および電圧用電極の切替を行なう（ステップＳ１９Ｂ）。より具体的には、端子切替部１４Ｂを制御して、電流用電極を、電極Ｈ１，Ｈ２，Ｆ１，Ｆ２から、電極Ａ２１，Ｄ２１，Ａ２２，Ｄ２２に切替える。これにより、端子切替部１４Ｂにおいて、電極Ｈ１，Ｈ２，Ｆ１，Ｆ２と定電流発生部１２との接続が切断され、電極Ａ２１，Ｄ２１，Ａ２２，Ｄ２２と定電流発生部１２とが接続される。さらに、演算処理部２６Ｂは、端子切替部１４Ｂを制御して、電圧用電極を、電極Ａ２１，Ａ２２から、電極Ｂ２１，Ｃ２１，Ｂ２２，Ｃ２２に切替える。これにより、端子切替部１４Ｂにおいて、電極Ａ２１，Ａ２２と電圧検出部１３との接続が切断され、電極Ｂ２１，Ｃ２１，Ｂ２２，Ｃ２２が、電圧検出部１３と接続される。また、この場合、演算処理部２６Ｂは、電極Ａ２１と電極Ａ２２とを短絡させ、電極Ｄ２１と電極Ｄ２２とを短絡させるものとする。また、同様に、電極Ｂ２１と電極Ｂ２２とを短絡させ、電極Ｃ２１と電極Ｃ２２とを短絡させるものとする。
【０１４６】
続いて、演算処理部２６Ｂは、定電流発生部１２を制御して、電極Ａ２１および電極Ａ２２から、電極Ｄ２１および電極Ｄ２２に電流を印加する（ステップＳ２０Ｂ）。その状態において、演算処理部２６Ｂは、電圧検出部１３に、電極Ｂ２１，Ｂ２２と電極Ｃ２１，Ｃ２２との間の電位差を検出させる（ステップＳ２２Ｂ）。
【０１４７】
ステップＳ２２Ｂの処理が終わると、実施の形態１と同様に、ステップＳ２４〜Ｓ３２の処理が実行される。以上で本発明の実施の形態３における体脂肪測定処理は、終了する。
【０１４８】
このように、略円弧状の電極を設けて、腹部の臍位置を中心とした腹部の表面全体のインピーダンスを計測することで、電極間の距離および電極面積を大きくすることができるので、より精度の高いインピーダンス計測を安定して行うことができる。
【０１４９】
なお、上記フローチャートにおいて、腹部電極のうちから選択される電流印加用の電極および電圧検出用の電極は、それぞれ例示であり、上記した電極に限定されるものではない。
【０１５０】
たとえば、四肢に電流を印加した状態における電圧検出用の電極を、最も外側に位置する１対の電極Ａ２１，Ａ２２としたが、他の１対の電極としてもよい。または、腹部電極のうち２対の電極を電圧検出用の電極としてもよい。この場合、ステップＳ２２Ｂのように、２対の電極を各々短絡させた状態で電圧が検出されてもよいし、短絡させることなく２対の電極の電位差がそれぞれ検出されてもよい。２対の電極の電位差がそれぞれ検出される場合には、たとえば、検出された２つの電位差を平均処理することで、インピーダンスＺｔが算出されてもよい。
【０１５１】
あるいは、腹部に電流を印加する場合、たとえば、単に電極Ａ２１から電極Ａ２２に電流を流すこととしてもよい。また、腹部に電流が印加された状態における電圧検出用の２対の電極を、各々短絡させることとしたが、短絡させることなくそれぞれの電位差が検出されてもよい。この場合も、検出された２つの電位差を平均処理することで、インピーダンスＺｓが算出されてもよい。
【０１５２】
また、実施の形態３における腹部電極が２列設けられて、実施の形態２における体脂肪測定処理と組み合わせてもよい。
【０１５３】
なお、実施の形態３における上肢ユニット１Ｂにも、測定精度の向上という観点から、位置決め指標が設けられることが好ましい。図２１は、本発明の実施の形態３における位置決め指標の一例を示す図である。
【０１５４】
図２１を参照して、上肢ユニット１Ｂの第２の筐体１１２Ｂに、位置決め指標として、たとえば、背面側から前面（面１３０Ｂ）側に向かって視認可能な窓２２１が設けられる。窓２２１は、最も内側（中心部付近）の電極Ｄ２１，Ｄ２２の対に囲まれる位置に設けられる。このように、背面側から前面側に向かって視認できるため、介助者（測定を介助する者）は、被験者の臍を窓２２１を通して確認することができる。したがって、窓２２１を、臍に対応する位置に形成しておくことで、容易にかつ適切な位置に、腹部電極を被験者の腹部の表面に配置することができる。
【０１５５】
なお、ここでは、位置決め指標を窓２２１としたが、第２の筐体１１２Ｂの背面側から前面側に向かって視認できるものであればよい。したがって、窓２２１に代えて、前面側から背面側へと貫通する穴（図示せず）を設けてもよい。
【０１５６】
また、実施の形態１に示した位置決め指標（たとえば窪み）または実施の形態２に示した位置決め指標（たとえば鏡）を第２の筐体１１２Ｂに設けてもよい。
【０１５７】
同様に、実施の形態１における第２の筐体１１２に、実施の形態２または３に示した位置決め指標を設けてもよい。あるいは、実施の形態２における第２の筐体１１２Ａに、実施の形態１または実施の形態３に示した位置決め指標を設けてもよい。
【０１５８】
また、本発明の体脂肪測定装置あるいは上肢ユニットが行なう、体脂肪測定方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１５９】
提供されるプログラム製品は、ハードディスクなどのプログラム格納部にインストールされて実行される。なお、プログラム製品は、プログラム自体と、プログラムが記録された記録媒体とを含む。
【０１６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６１】
【図１】本発明の実施の形態１における体脂肪測定装置の外観の一例を示す図である。
【図２】（Ａ）は、本発明の実施の形態１における体脂肪測定装置を用いて体脂肪が測定される様子を、被験者の前方側から見た図であり、（Ｂ）は、体脂肪測定装置を用いて体脂肪が測定される様子を、被験者の側方側から見た図である。
【図３】本発明の実施の形態１における体脂肪測定装置のハードウェア構成を示すブロック図である。
【図４】演算処理部の機能構成を示すブロック図である。
【図５】本発明の実施の形態１の体脂肪測定装置における上肢ユニットの概略斜視図である。
【図６】本発明の実施の形態１における体脂肪測定処理を示すフローチャートである。
【図７】測定結果の表示例を示す図である。
【図８】（Ａ）は、内臓脂肪面積のみが表示された例を示す図であり、（Ｂ）は、内臓脂肪面積および皮下脂肪面積が表示された例を示す図である。
【図９】（Ａ）および（Ｂ）は、測定結果に加え、被験者情報がさらに表示された例を示す第１および第２の図である。
【図１０】（Ａ）は、測定結果とともに、内臓脂肪面積の基準値がさらに表示される例を示す図であり、（Ｂ）は、測定結果に加え、同年代の同性の標準値がさらに表示される例を示す図である。
【図１１】測定結果とともに、過去の測定値がグラフ表示される場合の一例を示す図である。
【図１２】（Ａ）は、実施の形態１における位置決め指標の他の例を示す図であり、（Ｂ）は、実施の形態１における位置決め指標のさらに他の例を示す図である。
【図１３】本発明の実施の形態２の体脂肪測定装置における上肢ユニットの概略正面図である。
【図１４】本発明の実施の形態２における体脂肪測定装置のハードウェア構成を示すブロック図である。
【図１５】本発明の実施の形態２における体脂肪測定処理を示すフローチャートである。
【図１６】本発明の実施の形態２における体脂肪測定処理を示すフローチャートである。
【図１７】（Ａ）は、本発明の実施の形態２における位置決め指標の一例を示す図であり、（Ｂ）は、本発明の実施の形態２における位置決め指標の他の例を示す図である。
【図１８】本発明の実施の形態３の体脂肪測定装置における上肢ユニット１Ｂの概略正面図である。
【図１９】本発明の実施の形態３における体脂肪測定装置のハードウェア構成を示すブロック図である。
【図２０】本発明の実施の形態３における体脂肪測定処理を示すフローチャートである。
【図２１】本発明の実施の形態３における位置決め指標の一例を示す図である。
【符号の説明】
【０１６２】
１，１Ａ，１Ｂ  上肢ユニット、２  下肢ユニット、３  ケーブル、１２  定電流発生部、１３  電圧検出部、１４，１４Ａ，１４Ｂ  端子切替部、１６ａ，１６ｂ  コネクタ、２０  制御部、２１  表示部、２２  入力部、２３ｂ  記録媒体、２３ａ  駆動装置、２６，２６Ａ，２６Ｂ  演算処理部、２７  記憶部、３１  測定開始キー、３２  測定中止キー、３３  ヒンジ、１００，１００Ａ，１００Ｂ  体脂肪測定装置、１１０，１１０Ａ，１１０Ｂ  本体部、１１１  第１の筐体、１１２，１１２Ａ，１１２Ｂ  第２の筐体、１２１，１２２  グリップ、１３０，１３０Ａ，１３０Ｂ  面、２０３  カメラ、２０４  ライト、２０６  レーザＬＥＤ、２１１  溝、２１２  鏡、２２１  窓、２６１  インピーダンス算出部、２６２  体脂肪算出部、２６２Ｃ  体脂肪量算出部、２６２Ａ  内臓脂肪量算出部、２６２Ｂ  皮下脂肪量算出部、Ａ，Ｂ，Ｃ，Ｄ，Ａ１１，Ｂ１１，Ｃ１１，Ｄ１１，Ａ１２，Ｂ１２，Ｃ１２，Ｄ１２，Ａ２１，Ｂ２１，Ｃ２１，Ｄ２１，Ａ２２，Ｂ２２，Ｃ２２，Ｄ２２，Ｆ１，Ｆ２，Ｆ３，Ｆ４，Ｈ１，Ｈ２，Ｈ３，Ｈ４  電極。
【図１】
0004529884.tif 000002
【図２】
0004529884.tif 000003
【図３】
0004529884.tif 000004
【図４】
0004529884.tif 000005
【図５】
0004529884.tif 000006
【図６】
0004529884.tif 000007
【図７】
0004529884.tif 000008
【図８】
0004529884.tif 000009
【図９】
0004529884.tif 000010
【図１０】
0004529884.tif 000011
【図１１】
0004529884.tif 000012
【図１２】
0004529884.tif 000013
【図１３】
0004529884.tif 000014
【図１４】
0004529884.tif 000015
【図１５】
0004529884.tif 000016
【図１６】
0004529884.tif 000017
【図１７】
0004529884.tif 000018
【図１８】
0004529884.tif 000019
【図１９】
0004529884.tif 000020
【図２０】
0004529884.tif 000021
【図２１】
0004529884.tif 000022